(57)【要約】【課題】簡単な構造で加熱室から冷却室へ内扉の表面に沿う熱の移動を抑制させて消費電力を低減させることができる自動販売機を提供することを目的とする。【解決手段】冷却および加熱を行う商品収納室を区画形成させた断熱筐体になる本体キャビネットの前面に断熱内扉、および外扉を備えた自動販売機であって、内扉を、断熱材ボードで作られた扉板と、該扉板の周囲四辺に固着した金属製の外枠、商品収納室側の扉板の面に商品搬出口を覆うように金属製の裏板とから構成した自動販売機において、裏板を商品収納室に対峙して分割し、かつ、金属製の外枠のうち下部の外枠と離間して扉板に固着するように形成したことにより内扉の表面に沿う熱の移動を抑制させる。【選択図】図２
2010250609.tif 000002
【特許請求の範囲】
【請求項１】
冷却および加熱を行う商品収納室を区画形成させた断熱筐体になる本体キャビネットの前面に断熱内扉、および外扉を備えた自動販売機であって、
前記内扉を、断熱材ボードで作られた扉板と、該扉板の周囲四辺に固着した金属製の外枠、前記商品収納室側の前記扉板の面に商品搬出口を覆うように金属製の裏板とから構成した自動販売機において、
前記裏板は、前記商品収納室に対峙して分割し、かつ、前記金属製の外枠のうち下部の外枠と離間して扉板に固着するように形成したことを特徴とする自動販売機。
【請求項２】
前記裏板は、コの字状の板、矩形の板、L字状の板を組み合わせて商品搬出口を覆うように構成されていることを特徴とする請求項１に記載の自動販売機。
【発明の詳細な説明】
【技術分野】
【０００１】
本発明は、缶、びん、ペットボトル商品を販売する自動販売機に関し、詳しくはそのキャビネット前面に配した断熱内扉の構造に係わる。
【背景技術】
【０００２】
缶入り飲料、ビン入り飲料、ペットボトル入り飲料等の商品を販売する自動販売機が広く普及しており、このような自動販売機は、たとえば、３つの商品収納室を有したもので、各商品収納室を個別に温度制御して冷却もしくは加熱して販売をしている。その商品収納室の前面には断熱内扉が取設されていて、冷却もしくは加熱された商品収納室の熱が外部に流入出しないように遮蔽をしている。
断熱内扉は、分解を容易にしてリサイクル性を向上させるため本体内部の断熱材を樹脂の発泡成形に代えてあらかじめ板状に成形した樹脂ボードを採用し、このボードに鋼板製の前面板、補強枠、および商品搬出口のシャッタ、シャッタ枠などを組み合わせて構成するようにしたものが知られている（例えば、特許文献１参照）。
この構成では、商品搬出口のシャッタへ向かって転動搬送される商品が時には軌道を外れ断熱内扉の裏側に衝突することがあるので、図５、６で示されるようにシャッタ３３ａ、３３ｂ、３３ｃの周囲を囲う態様で薄板鋼板の裏板３５が樹脂ボード（扉体）３１に固着されている。具体的には、断熱内扉３０ｂｂは、樹脂ボード３１の前面に前面板（不図示）を挿入し、樹脂ボード３１の四周を断面コの字状の上枠３２ａ、側枠３２ｂ、３２ｂ、下枠３２ｃにて嵌め込み、樹脂ボード３１の下部にシャッタ３３ａ、３３ｂ、３３ｃが装着して構成されている。樹脂ボード３１の裏面にそのシャッタ３３ａ、３３ｂ、３３ｃの周囲を囲う態様で薄板鋼板の裏板３５が樹脂ボード３１にねじ３９にて固着されている。そして、その裏板３５にはシャッタ３３ａ、３３ｂ、３３ｃを挿入するための取付孔３４ａ、３４ｂ、３４ｃが開口され、各商品収納室の仕切壁、底板と対峙する位置に２列の千鳥状に穿孔された長孔３６で構成されるサーマルブレーキが形成されている。このサーマルブレーキにより加熱された商品収納室の熱が内扉３０ｂｂの裏面を沿って冷却された商品収納室へ流入することを抑制している。
【先行技術文献】
【特許文献】
【０００３】
【特許文献１】特開２００２−２１６２２５号公報
【発明の概要】
【発明が解決しようとする課題】
【０００４】
しかしながら、この種の自動販売機であっても、Co2の削減、省エネルギーの要請が強くなっている現状においては、十分な構造でなくなってきている。また、寸法の異なる商品を多数収容する自動販売機においては、多数の商品に適した複数の商品収納ラックを組み合わせて各商品収納室内に配置をするので、自動販売機の型式により内扉のシャッタの配置が異なるものが多く存在する。その結果、断熱内扉の裏板の成形型も多数必要となるので、コスト上昇の一因となっている。
本発明は、上記実情に鑑みて、簡単な構造で加熱室から冷却室への熱の移動を抑制させて消費電力を低減させることができる自動販売機を提供することを目的とする。
【課題を解決するための手段】
【０００５】
上記の目的を達成するために、本発明の請求項１にかかる自動販売機は、冷却および加熱を行う商品収納室を区画形成させた断熱筐体になる本体キャビネットの前面に断熱内扉、および外扉を備えた自動販売機であって、
前記内扉を、断熱材ボードで作られた扉板と、該扉板の周囲四辺に固着した金属製の外枠、前記商品収納室側の前記扉板の面に商品搬出口を覆うように金属製の裏板とから構成した自動販売機において、
前記裏板は、前記商品収納室に対峙して分割し、かつ、前記金属製の外枠のうち下部の外枠と離間して扉板に固着するように形成したことを特徴とする。
本発明の請求項２にかかる自動販売機は、請求項１にかかる自動販売機において、前記裏板は、コの字状の板、矩形の板、L字状の板を組み合わせて商品搬出口を覆うように構成されていることを特徴とする。
【発明の効果】
【０００６】
本発明にかかる請求項１の自動販売機は、前記裏板は、前記商品収納室に対峙して分割し、かつ、前記金属製の外枠のうち下部の外枠と離間して扉板に固着するように形成したことにより、加熱された商品収納室から冷却された商品収納室への熱の移動を抑制させて消費電力を低減させることができる。さらに、裏板を分割することにより、自動販売機の種類ごとに成形型を有する必要がないので、製作コストを低減させることができる。
本発明にかかる請求項２の自動販売機は、裏板をコの字状の板、矩形の板、L字状の板を組み合わせて商品搬出口を覆うように構成ことにより、形状が単純となるので、さらに製作コストを低減させることができる。
【図面の簡単な説明】
【０００７】
【図１】本発明の実施例にかかる内扉を適用した自動販売機を示す模式図である。
【図２】（ａ）は、内扉を商品収納室側から見た平面図。（ｂ）は（ａ）のＡ部断面図である。
【図３】本発明の実施例にかかる裏板を示す構成図である。
【図４】本発明の別の実施例にかかる裏板を示す構成図である。
【図５】従来技術の内扉を商品収納室側から見た平面図である。
【図６】図５に示した従来技術の内扉の裏板を示す構成図である。
【発明を実施するための形態】
【０００８】
以下に添付図面を参照して、本発明にかかる自動販売機の内扉の好適な実施例を詳細に説明する。なお、この実施例によりこの発明が限定されるものではない。
これら図において、自動販売機は、前面が開口した直方状の断熱体として形成された本体キャビネット１０と、その前面に設けられた外扉２０および内扉３０と、本体キャビネット１０の内部を上下2段に底板１１にて区画形成し、上部を例えば２つの断熱仕切板４０ｗによって仕切られた３つの独立した商品収納室４０ａ、４０ｂ、４０ｃと、下部に商品収納室４０ａ、４０ｂ、４０ｃを冷却もしくは加熱する冷却／加熱ユニット６０およびドレン水を処理するドレン水処理装置７０を収納する機械室５０と、外扉２０の内側に配設され、商品収納室４０ａ、４０ｂ、４０ｃ内の温度センサにより自動販売機の冷却、加熱運転などを制御する制御手段１００と、を有して構成されている。
【０００９】
より詳細に説明すると、外扉２０は、本体キャビネット１０の前面開口を開閉するためのものであり、図には明示していないが、この外扉２０の前面には、販売する商品の見本を展示する商品展示室、販売する商品を選択するための選択ボタン、貨幣を投入するための貨幣投入口、払い出された商品を取り出すための商品取出口２１等々、商品の販売に必要となる構成が配置してある。
商品収納室４０ａ、４０、４０は、缶入り飲料やペットボトル入り飲料等の商品を所望の温度に維持した状態で収容するためのものであり、その収納庫の容量は商品収納室４０ｃ、４０a、４０ｂの順番に大きな態様で配分され、ている。その商品収納室４０ａ、４０ｂ、４０ｃには、それぞれ、商品を上下方向に沿って並ぶ態様で収納し、販売信号により1個ずつ商品を排出するための商品搬出機構を備えた商品収納ラックＲをそれぞれ２、１、３列の商品収納ラックＲを収納し、排出された商品を外扉の販売口２１へ搬出する商品搬出シュート４２ａ、４２ｂ、４２ｃを有している。
【００１０】
機械室５０は、前面および背面側に開口部を有する箱型の構造体で、その内部に冷却／加熱ユニット６０とドレン水処理装置７０を収容している。また、機械室５０には、外扉２０の下部に穿孔された通気孔２２と連通して前面の開口部より背面側の開口部に至る空気通路が形成されている。
冷却／加熱ユニット６０は、冷凍サイクルを構成する圧縮機、凝縮器、膨張弁と、底板１１を跨いで庫内の蒸発器とを冷媒配管で連結した冷却部と、蒸発器の前方に取設したヒータによる加熱部から構成され、販売モードに応じて、庫内に冷却または加熱された空気を循環させて商品収納ラックＲ内の商品を冷却または加熱するものである。
ドレン水処理装置７０は、蒸発皿７１と冷却／加熱ユニット６０の一部配管を蒸発パイプ（不図示）とを有し、蒸発器を除霜したドレン水を配管にて蒸発皿７１に導き、蒸発パイプの熱にて蒸発させるものである。また、ドレン水処理装置７０には、前面側に受口７２を有し、内扉３０ｂに結露した結露水を樋３２ｄｔにより受口７２を介して蒸発皿７１に導き、蒸発パイプにて蒸発させることも行っている。
【００１１】
内扉３０は、商品収納室４０ａ、４０ｂ、４０ｃの前面を開閉し、収納室内部の商品を保温するものであり、上下２段に分割され内部に断熱体を有する箱型形状の構造体であり、上側の内扉３０ａと下側の内扉３０ｂにより構成されている。上側の内扉３０ａは、一端を外扉２０に枢軸し、他端を外扉２０に係着して、外扉２０の開放と同時に上側の内扉３０ａを開放させて、商品の補充を容易にするものである。下側の内扉３０ｂは、一端をヒンジ金具３７a、３７aにて本体キャビネット１０に枢軸し、他端を本体キャビネット１０に掛金３７ｂにて掛着して、外扉２０を開放したときには、閉止した状態であり、商品収納室４０ａ、４０ｂ、４０ｃ内の冷却空気もしくは加熱空気が流出することを防ぎ、収納室内部のメンテナンス時など必要に応じて開放できるものである。
内扉３０ｂは、図２で示すように樹脂ボード（扉板）３１の前面に鋼板製の前面板３１ａを挿入し、樹脂ボード３１の四周を断面コの字状の上枠３２ａ、左右側枠３２ｂ、３２ｂ、下枠３２ｃにて嵌め込み、樹脂ボード３１の下部に商品搬出口であるシャッタ３３ａ、３３ｂ、３３ｃを装着し、樹脂ボード３１の裏面を商品搬出口の周囲を覆うように固着された裏板３８ａ、３８ｂ、３８ｃを有して構成されている。
【００１２】
上枠３２ａの上部には、ゴム製のパッキン３２ｐが取設されていて、上部の内扉３０ａを閉成したときに下部の内扉３０ｂとの間に形成される隙間を遮蔽している。
下枠３２ｄにおける商品収納室側の上部には、水平方向に２列の千鳥状に穿孔された長孔３６で構成されるサーマルブレーキが形成されている。このサーマルブレーキにより加熱された商品収納室の熱が下枠３２ｄの表面を沿って冷却された商品収納室へ流入することを抑制している。
また、下枠３２ｄの下部には、正面より右側に傾斜した樋３２ｄｔが形成されている。樋３２ｄｔの右端の下方にはドレン処理装置７０の受口７２が開口して取設されていて、内扉３０ｂ表面に結露した結露水が樋３２ｄｔ、受口７２を経由して蒸発皿７１内に導入される。このように下枠３２ｄが樋３２ｄｔを兼用しているので、その分低コストで内扉３０ｂを製作することができる。
【００１３】
シャッタ３３ａ、３３ｂ、３３ｃは、周囲をシャッタ枠３３ａｆ、３３ｂｆ、３３ｃｆで囲繞され、上部にヒンジ構造を有し、通常は垂直方向に懸架され、商品収納室４０ａ，４０ｂ，４０ｃと外部との空気の流通を遮断し、販売が行われると販売される商品の搬送運動により回動するものである。シャッタ３３ａ、３３ｂ、３３ｃは、商品収納室４０ａ，４０ｂ，４０ｃおよびその下部に取設されているシュート４２ａ，４２ｂ，４２ｃに位置に対応して、適宜、内扉３０ｂ下部水平方向に配設されている。
裏板３８ａ、３８ｂ、３８ｃは、商品収納室４０ａ，４０ｂ，４０ｃに対峙して、仕切板４０ｗの幅と略同一寸法の間隔を有して左右方向に分割し、かつ、下枠３２ｄとも上下方向に離間して樹脂ボード３１に固着している。図３に示すように開口面積の一番大きな右室の商品収納室４０ａに対峙する裏板３８ａは、コの字形状をした薄板板金部材である。開口面積の二番大きな左室の商品収納室４０ａに対峙する裏板３８ｂもコの字形状をしている薄板板金部材である。コの字形状をした裏板３８ａ、３８ｃは、シャッタ枠３３ａｆ、３３ｂｆ、３３ｃｆを囲うように突起部３８ａｔ、３８ａｔ、３８ｃｔ、３８ｃｔを有し、その突起部および裏板３８ａ、３８ｃの上部をネジ３９にて固着されている。また、下枠３２ｄとの間には切り欠き部３８ａｋ、３８ｃｋを有し、下枠３２ｄとの熱伝導抵抗を大きくしている。開口面積の一番小さな中室の商品収納室４０ｂに対峙する裏板３８ｂは、矩形の形状をした薄板板金部材である。
【００１４】
かかる構成で、自動販売機の冷却加熱運転を行うと、例えば、左室と中室の商品収納室４０ａ、４０ｂを加熱運転し、右室の商品収納室４０ｃを冷却運転するモードにて運転をした場合に、裏板３８ａ、３８ｂ、３８ｃが離間して固着してあるので、庫内収納庫４０ａ、４０ｂよりの加熱された空気が裏板３８ａ、３８ｂより他の冷却された庫内収納庫４０ｃの裏板３８ｃに熱伝導により熱移送されることが極めて少ない。また、裏板３８ａ、３８ｂ、３８ｃが下枠３２ｄとも隔離をしているので、商品収納室４０ａ、４０ｂ、４０ｃよりの熱が下枠３２ｄを経由して熱移送されることが極めて少ない。その結果、無駄な熱損失を抑制し、消費電力量を低減することができる。
また、裏板３８ａ、３８ｂ、３８ｃを分割して固着しているので、シャッタ３３ａ、３３ｂ、３３ｃの配置が異なる自動販売機の種類に対しても、同一の形状で位置を変えるだけで固着することができるので、多くの成形型を有する必要がない結果、製作コストを低減させることができる。
【００１５】
また、別の実施例の裏板構成を図４に示す。この実施例では、商品収納室４０ｃに対峙する裏板３８ｄが前述の実施例と異なり、その他は略同一であるので、その説明を省略する。
裏板３８ｄは、Ｌの字形状をしている薄板板金部材であり、シャッタ枠３３ｃｆの外周右側に突起部３８ｄｔと、下枠３２ｄとの間の切り欠き部３８ｄｋを有し、その突起部３８ｄｔおよび裏板３８ｄの上部をネジ３９にて固着されている。そして、コの字状の裏板３８ａ、矩形の裏板３８ｂ、L字状の裏板３８ｄを組み合わせてシャッタ３３ａ、３３ｂ、３３ｃを覆うように構成されている。
このように、コの字状の板、矩形の板、L字状の板という形状が単純となるので、上記の効果の他に、さらに製作コストを低減させることができる。
【産業上の利用可能性】
【００１６】
以上のように、本発明にかかる本発明は、缶、びん、ペットボトル商品を冷却加熱運転して販売する自動販売機に適している。
【符号の説明】
【００１７】
１０    本体キャビネット
２０    外扉
３０    内扉
３１    樹脂ボード（扉板）
３２ａ    上枠
３２ｂ    側枠
３２ｄ    下枠
３２ｄｔ    樋
３３ａ、３３ｂ、３３ｃ    シャッタ
３５    裏板
３６    長孔
３８ａ、３８ｂ、３８ｃ、３８ｄ    裏板
４０ａ、４０ｂ、  ４０ｃ    商品収納室
５０    機械室
６０  冷却／加熱ユニット
７０    ドレン処理装置
６２    圧縮機
６３    凝縮器
６４    膨張器
１００  制御装置
【図１】
2010250609.tif 000003
【図２】
2010250609.tif 000004
【図３】
2010250609.tif 000005
【図４】
2010250609.tif 000006
【図５】
2010250609.tif 000007
【図６】
2010250609.tif 000008